(57)【要約】【課題】冷陰極蛍光管を光源としているスキャナーにおいて、ウォームアップタイムを短縮することにある。【解決手段】スキャナー１００は、光源装置１１０と、光センサーモジュール１５０と、ゲイン増幅器１６０と、信号処理モジュール１７０を有する。光源装置１１０は、冷陰極蛍光管１１５と、発光ダイオードモジュール１２０と、光センサー１２５と、サーボ制御モジュール１３０と、発光ダイオード駆動モジュール１３５と、冷陰極蛍光管駆動モジュール１４０とを有する。スキャナー１００が動き始めたばかりの時、サーボ制御モジュール１３０は、第一制御信号ＣＳ１が発光ダイオード駆動モジュール１３５を制御することにより発光ダイオードモジュール１２０を駆動し、第二制御信号ＣＳ２が冷陰極蛍光管駆動モジュール１４０を制御することにより冷陰極蛍光管１１５を駆動する。【選択図】図１
2008017436.tif 000002
【特許請求の範囲】
【請求項１】
冷陰極蛍光管（１１５）と、
発光ダイオードモジュール（１２０）と、
物体が前記冷陰極蛍光管及び前記発光ダイオードモジュールにより照射されて反射された光を検知して、検知出力信号（ＤＯＳ）を発生する光センサーモジュール（１５０）と、
前記光センサーモジュールに接続され、前記検知出力信号を増幅し増幅信号（ＡＳ）を発生するゲイン増幅器（１６０）と、
前記ゲイン増幅器に接続され、前記増幅信号を処理し前記物体の画像を得る信号処理モジュール（１７０）と、
前記冷陰極蛍光管と前記発光ダイオードモジュールとが発生する光を検知し検知信号（ＤＳ）を発生する光センサー（１２５）と、
前記光センサーに接続され、前記検知信号（ＤＳ）により第一制御信号（ＣＳ１）を発生するサーボ制御モジュール（１３０）と、
前記サーボ制御モジュールと前記発光ダイオードモジュールとに接続され、前記第一制御信号により前記発光ダイオードモジュールを駆動する発光ダイオード駆動モジュール（１３５）と、
前記冷陰極蛍光管に接続され、前記冷陰極蛍光管を駆動する冷陰極蛍光管駆動モジュール（１４０）とを含むことを特徴とするスキャナー。
【請求項２】
請求項１に記載のスキャナーにおいて、
前記サーボ制御モジュール（１３０）は、前記検知信号（ＤＳ）が前記冷陰極蛍光管と前記発光ダイオードモジュールによる光がいっそう強くなったことを示すとき、前記第一制御信号を介して前記発光ダイオード駆動モジュールを制御して前記発光ダイオードモジュールの駆動パワーが下がるように調整することを特徴とするスキャナー。
【請求項３】
請求項１に記載のスキャナーにおいて、
前記サーボ制御モジュール（１３０）は、さらに前記検知信号（ＤＳ）により第二制御信号（ＣＳ２）を発生し、
前記冷陰極蛍光管駆動モジュール（１４０）は、さらに前記サーボ制御モジュールに接続され、前記第二制御信号により前記冷陰極蛍光管を駆動することを特徴とするスキャナー。
【請求項４】
請求項３に記載のスキャナーにおいて、
前記冷陰極蛍光管駆動モジュール（１４０）は、
前記サーボ制御モジュールに接続され、前記第二制御信号によりパルス幅変調信号（ＰＷＭＳ）を発生するのに用いられるパルス幅変調ユニット（１４１）と、
前記パルス幅変調ユニットと前記冷陰極蛍光管に接続され、前記パルス幅変調信号により前記冷陰極蛍光管を駆動するのに用いられるインバーター（１４２）を含むことを特徴とするスキャナー。
【請求項５】
請求項１に記載のスキャナーにおいて、
前記サーボ制御モジュール（１３０）は、さらに前記検知信号（ＤＳ）によりゲイン制御信号（ＧＣＳ）を発生し、
前記ゲイン増幅器（１６０）は、さらに前記サーボ制御モジュールに接続され、前記ゲイン制御信号により前記検知出力信号（ＤＯＳ）を増幅することを特徴とするスキャナー。
【請求項６】
請求項５に記載のスキャナーにおいて、
前記サーボ制御モジュール（１３０）は、前記検知信号（ＤＳ）が前記冷陰極蛍光管と前記発光ダイオードモジュールによる光がいっそう強くなったことを示すとき、前記ゲイン制御信号を介して前記ゲイン増幅器が小さいゲイン数値により前記検知出力信号（ＤＯＳ）を増幅するように制御することを特徴とするスキャナー。
【請求項７】
冷陰極蛍光管（１１５）と、
発光ダイオードモジュール（１２０）と、
物体が前記冷陰極蛍光管及び前記発光ダイオードモジュールにより照射されて反射された光を検知して、検知出力信号（ＤＯＳ）を発生する光センサーモジュール（１５０）と、
前記光センサーモジュールに接続され、前記検知出力信号（ＤＯＳ）を増幅し増幅信号（ＡＳ）を発生するゲイン増幅器（１６０）と、
前記ゲイン増幅器に接続され、前記増幅信号を処理し前記物体の画像を得る信号処理モジュール（１７０）と、
前記光センサーモジュール（１５０）に接続され、前記検知出力信号（ＤＯＳ）により第一制御信号（ＣＳ１）を発生するサーボ制御モジュール（１３０）と、
前記サーボ制御モジュールと前記発光ダイオードモジュールとに接続され、前記第一制御信号により前記発光ダイオードモジュールを駆動する発光ダイオード駆動モジュール（１３５）と、
前記冷陰極蛍光管に接続され、前記冷陰極蛍光管を駆動する冷陰極蛍光管駆動モジュール（１４０）とを含むことを特徴とするスキャナー。
【請求項８】
請求項７に記載のスキャナーにおいて、
前記サーボ制御モジュール（１３０）は、前記検知出力信号（ＤＯＳ）が前記冷陰極蛍光管と前記発光ダイオードモジュールによる光がいっそう強くなったことを示すとき、前記第一制御信号を介して前記発光ダイオード駆動モジュールを制御して前記発光ダイオードモジュールの駆動パワーが下がるように調整することを特徴とするスキャナー。
【請求項９】
請求項７に記載のスキャナーにおいて、
前記サーボ制御モジュール（１３０）は、さらに前記検知出力信号（ＤＯＳ）により第二制御信号（ＣＳ２）を発生し、
前記冷陰極蛍光管駆動モジュール（１４０）は、さらに前記サーボ制御モジュールに接続され、前記第二制御信号により前記冷陰極蛍光管を駆動することを特徴とするスキャナー。
【請求項１０】
請求項９に記載のスキャナーにおいて、
前記冷陰極蛍光管駆動モジュール（１４０）は、
前記サーボ制御モジュールに接続され、前記第二制御信号によりパルス幅変調信号（ＰＷＭＳ）を発生するのに用いられるパルス幅変調ユニット（１４１）と、
前記パルス幅変調ユニットと前記冷陰極蛍光管に接続され、前記パルス幅変調信号により前記冷陰極蛍光管を駆動するのに用いられるインバーター（１４２）を含むことを特徴とするスキャナー。
【請求項１１】
請求項７に記載のスキャナーにおいて、
前記サーボ制御モジュール（１３０）は、さらに前記検知出力信号（ＤＯＳ）によりゲイン制御信号（ＧＣＳ）を発生し、
前記ゲイン増幅器（１６０）は、さらに前記サーボ制御モジュールに接続され、前記ゲイン制御信号により前記検知出力信号（ＤＯＳ）を増幅することを特徴とするスキャナー。
【請求項１２】
請求項１１に記載のスキャナーにおいて、
前記サーボ制御モジュール（１３０）は、前記検知信号（ＤＳ）が前記冷陰極蛍光管と前記発光ダイオードモジュールによる光がいっそう強くなったことを示すとき、前記ゲイン制御信号を介して前記ゲイン増幅器が小さいゲイン数値により前記検知出力信号（ＤＯＳ）を増幅するように制御することを特徴とするスキャナー。
【請求項１３】
冷陰極蛍光管（１１５）と、
発光ダイオードモジュール（１２０）と、
前記冷陰極蛍光管と前記発光ダイオードモジュールとが発生する光を検知し検知信号（ＤＳ）を発生する光センサー（１２５）と、
前記光センサーに接続され、前記検知信号（ＤＳ）により第一制御信号（ＣＳ１）を発生するサーボ制御モジュール（１３０）と、
前記サーボ制御モジュールと前記発光ダイオードモジュールとに接続され、前記第一制御信号により前記発光ダイオードモジュールを駆動する発光ダイオード駆動モジュール（１３５）と、
前記冷陰極蛍光管に接続され、前記冷陰極蛍光管を駆動する冷陰極蛍光管駆動モジュール（１４０）とを含むことを特徴とする光源装置。
【請求項１４】
請求項１３に記載の光源装置において、
前記サーボ制御モジュール（１３０）は、前記検知信号（ＤＳ）が前記冷陰極蛍光管と前記発光ダイオードモジュールによる光がいっそう強くなったことを示すとき、前記第一制御信号を介して前記発光ダイオード駆動モジュールを制御して前記発光ダイオードモジュールの駆動パワーが下がるように調整することを特徴とする光源装置。
【請求項１５】
請求項１３に記載の光源装置において、
前記サーボ制御モジュール（１３０）は、さらに前記検知信号により第二制御信号（ＣＳ２）を発生し、
前記冷陰極蛍光管駆動モジュール（１４０）は、さらに前記サーボ制御モジュールに接続され、前記第二制御信号により前記冷陰極蛍光管を駆動することを特徴とする光源装置。
【請求項１６】
請求項１５に記載の光源装置において、
前記冷陰極蛍光管駆動モジュール（１４０）は、
前記サーボ制御モジュールに接続され、前記第二制御信号によりパルス幅変調信号（ＰＷＭＳ）を発生するのに用いられるパルス幅変調ユニット（１４１）と、
前記パルス幅変調ユニットと前記冷陰極蛍光管に接続され、前記パルス幅変調信号により前記冷陰極蛍光管を駆動するのに用いられるインバーター（１４２）を含むことを特徴とする光源装置。
【発明の詳細な説明】
【技術分野】
【０００１】
本発明はスキャナーに係り、特に比較的短いウォームアップ．タイムのスキャナーとそれに関連する光源装置に関する。
【背景技術】
【０００２】
スキャナーは一般家庭或いはオフィスでよく使われる電子機器で、従来技術では、冷陰極蛍光管（ＣＣＦＬ；Cold-Cathode fluorescence lamp）をスキャナーの光源としている。しかし、冷陰極蛍光管の輝度が温度による影響を受け、起動したばかりの時、その温度が低く、すぐに十分な強度の光を発生することができないので、数秒待たなくてはならず、温度がしだいに上昇するのを待ってから、冷陰極蛍光管は十分な強度の光を発生し、スキャナーを使える状態にする。この数秒の待ち時間はウォームアップタイムを延長し、スキャナーに「スイッチを入れてからすぐ使用できない」という欠点を持たせることになる。
【発明の開示】
【発明が解決しようとする課題】
【０００３】
従来のスキャナーがスイッチを入れてからすぐ使用できないという欠点を解決するために、本発明の実施例では冷陰極蛍光管を組み合わせた発光ダイオード（ＬＥＤ）モジュールによりスキャナーがスキャニングを行う際に必要な光を提供する。
【課題を解決するための手段】
【０００４】
本発明の特許請求の範囲はスキャナーに関わり、そのスキャナーは冷陰極蛍光管、発光ダイオードモジュール、光センサーモジュール、ゲイン増幅器、信号処理モジュール、光センサー、サーボ制御モジュール、発光ダイオード駆動モジュール、冷陰極蛍光管駆動モジュールを含む。前記光センサーモジュールは物体が前記冷陰極蛍光管と前記発光ダイオードモジュールの照射により反射、投射される光を受けたと検知し検知出力信号を発生する。前記ゲイン増幅器は前記検知出力信号を増幅し増幅信号を発生する。前記信号処理モジュールは前記増幅信号を処理し前記物体の画像を得る。前記光センサーは前記冷陰極蛍光管と前記発光ダイオードモジュールにより発生する光を検知し検知信号を発生する。前記サーボモジュールは前記検知信号により第一制御信号を発生する。前記発光ダイオード駆動モジュールは前記第一制御信号により前記発光ダイオードモジュールを駆動する。前記冷陰極蛍光管駆動モジュールは前記冷陰極蛍光管を駆動する。
【０００５】
本発明の特許請求の範囲は別のスキャナーに関わり、そのスキャナーは冷陰極蛍光管、発光ダイオードモジュール、光センサーモジュール、ゲイン増幅器、信号処理モジュール、サーボ制御モジュール、発光ダイオード駆動モジュール、冷陰極蛍光管駆動モジュールを含む。前記光センサーモジュールは物体が前記冷陰極蛍光管と前記発光ダイオードモジュールの照射により反射、投射される光を受けたと検知し検知出力信号を発生する。前記ゲイン増幅器は前記検知出力信号を増幅し増幅信号を発生する。前記信号処理モジュールは前記増幅信号を処理し前記物体の画像を得る。前記サーボモジュールは前記検知信号により第一制御信号を発生する。前記発光ダイオード駆動モジュールは前記第一制御信号により前記発光ダイオードモジュールを駆動する。前記冷陰極蛍光管駆動モジュールは前記冷陰極蛍光管を駆動する。
【０００６】
本発明の特許請求の範囲はさらに光源装置に関わり、その光源装置は冷陰極蛍光管、発光ダイオードモジュール、光センサー、サーボ制御モジュール、発光ダイオード駆動モジュール、冷陰極蛍光管駆動モジュールを含む。前記光センサーは前記冷陰極蛍光管と前記発光ダイオードモジュールにより発生する光を検知し検知信号を発生する。前記サーボモジュールは前記検知信号により第一制御信号を発生する。前記発光ダイオード駆動モジュールは前記第一制御信号により前記発光ダイオードモジュールを駆動する。前記冷陰極蛍光管駆動モジュールは前記冷陰極蛍光管を駆動する。
【発明の効果】
【０００７】
本発明によれば、ウォームアップタイムが短縮され、スキャナーに「スイッチを入れてからすぐ使用できない」という欠点が解消される。
【発明を実施するための最良の形態】
【０００８】
以下、本発明の実施例について説明する。
【実施例】
【０００９】
図１は本発明のスキャナーに係わる実施例の概略図である。スキャナー１００は、光源装置１１０と、光センサーモジュール１５０と、ゲイン増幅器１６０と、信号処理モジュール１７０を有する。光源装置１１０は、スキャナー１００がスキャニングする時に、発生された光をスキャニングされる物体に照射するのに用いられる。光センサーモジュール１５０はＣＣＤ(charge-coupled
device)により構成され、前記スキャニングされる物体で反射された光を検知し、検知出力信号ＤＯＳを発生する。ゲイン増幅器１６０はゲイン制御信号ＧＣＳにより検知出力信号ＤＯＳを増幅し、増幅信号ＡＳを発生する。信号処置モジュール１７０にはアナログデジタル変換機とその他の信号処理デバイスが含まれ、前記増幅信号ＡＳを処理し、前記スキャニングされる物体の画像を得る。
【００１０】
本実施例の光源装置１１０は、冷陰極蛍光管１１５と、発光ダイオードモジュール１２０と、光センサー１２５と、サーボ制御モジュール１３０と、発光ダイオード駆動モジュール１３５と、冷陰極蛍光管駆動モジュール１４０とを有する。
【００１１】
光センサー１２５は、冷陰極蛍光管１１５及び発光ダイオードモジュール１２０が発生する光を検知して検知信号ＤＳを発生する。サーボモジュール１３０は、検知信号ＤＳにより第一制御信号ＣＳ１、第二制御信号ＣＳ２及びゲイン制御信号ＧＣＳを発生する。発光ダイオード駆動モジュール１３５は、第一制御信号ＣＳ１により発光ダイオードモジュール１２０を駆動する。冷陰極蛍光管駆動モジュール１４０は、パルス幅変調（ＰＷＭ）ユニット１４１とインバーター１４２とを有する。パルス幅変調（ＰＷＭ）ユニット１４１は、第二制御信号ＣＳ２によりパルス幅変調信号ＰＷＭＳを発生し、インバーター１４２は、パルス幅変調信号ＰＷＭＳにより冷陰極蛍光管１１５を駆動する。
【００１２】
光源装置１１０は、冷陰極蛍光管１１５を主とし、発光ダイオードモジュール１２０を補助的なものとし、スキャナー１００がスキャニングをする時に必要な光を提供する。スキャナー１００が動き始めたばかりの時、サーボ制御モジュール１３０は、第一制御信号ＣＳ１が発光ダイオード駆動モジュール１３５を制御することにより発光ダイオードモジュール１２０を駆動し、第二制御信号ＣＳ２が冷陰極蛍光管駆動モジュール１４０を制御することにより冷陰極蛍光管１１５を駆動する。冷陰極蛍光管１１５の起動速度は遅く、起動初期にスキャナーが必要とする光を単独で提供することはできないが、発光ダイオードモジュール１２０がすぐに起動できるという特性を備えているので、起動初期に、発光ダイオードモジュール１２０が発生する光は冷陰極蛍光管１１５による光の不足分を補うことができ、従って冷陰極蛍光管１１５が完全に起動していなくても、発光ダイオードモジュール１２０と冷陰極蛍光管１１５の両者が発生する光はスキャナーがスキャニングをするのに十分である。言い換えれば、本実施例の光源装置１１０は「スイッチを入れてから直ぐに使用できる」という優れた点を有する。ここで、発光ダイオードモジュール１２０は補助的に用いられるだけなので、スキャナーが必要とする光を発光ダイオードアレイのみで提供する場合（例えば１６個かもっと多くの大量の発光ダイオードを含むものでなればならない）と比較して、多くの発光ダイオードを含む必要がなく（例を挙げると、８個かもっと少ない数の発光ダイオードを含むだけでよい）。よって、本実施例の発光ダイオードモジュール１２０のコストは比較的安い。
【００１３】
起動過程で、冷陰極蛍光管１１５の温度はだんだん上昇し、そこから発生する光もしだいに強くなるので、光センサー１２５は冷陰極蛍光管１１５と発光ダイオードモジュール１２０により発生する光の強度が増大することを検知し、検知信号ＤＳから光の強度が増加したことを知った後、サーボ制御モジュール１３０は第一制御信号ＣＳ１により、発光ダイオードモジュール１３５を制御して発光ダイオードモジュール１２０の駆動パワーが下がるように調整する。言い換えれば、冷陰極蛍光管１１５の輝度の増加につれて、サーボ制御モジュール１３０は発光ダイオードモジュール１２０の輝度が下がるように調整することができる。冷陰極蛍光管１１５が完全に起動した後、サーボ制御モジュール１３０は発光ダイオードモジュール１２０を完全に切ることができ、この時には冷陰極蛍光管１１５によりスキャナーがスキャニングをするときに必要な光が単独で提供される。
【００１４】
図２に光源装置１１０の時間変化に対する光の強度に係わる概略図を示す。図中の光強度曲線２１０は冷陰極蛍光管１１５が単独で提供する光強度と時間の関係を示し、光強度曲線２２０は冷陰極蛍光管１１５に発光ダイオードモジュール１２０を組み合わせたときに提供する光強度と時間の関係を示す。光強度曲線２１０は従来技術の冷陰極蛍光管だけを用いて光源とした時の光強度曲線に相当する。従来の冷陰極蛍光管だけを用いて光源とする構造において、スイッチを入れた後、ユーザーは１５乃至２０秒程度待たなくてはならず、冷陰極蛍光管が完全に起動してから、スキャナーを用いてスキャニングを実行することになる。それに対して、本実施例の光源装置１１０にはさらに冷陰極蛍光管１１５と発光ダイオードモジュール１２０が同時に備えられているので、起動初期にすぐ十分な光の強度を発生でき、スキャナー１００にスキャニングを実行させることができる。従って、ユーザーは２乃至５秒程度しか待つ必要がなく、すぐにスキャナーを用いてスキャニングを実行することができる。言い換えれば、本実施例の光源装置１１０は起動速度が速いので、ユーザーがスイッチを入れた後の待つ時間を大幅に短縮することができる。
【００１５】
検知信号ＤＳにより第一制御信号ＣＳ１と第二制御信号ＣＳ２を発生する以外に、本実施例におけるサーボ制御モジュール１３０はさらに検知信号ＤＳによりゲイン制御信号ＧＣＳを発生する。よって、検知信号ＤＳが、光センサー１２５により検知される光の強度が弱いことを示すものであるとき、サーボ制御モジュール１３０はゲイン制御信号ＧＣＳにより、ゲイン増幅器１６０を制御して大きなゲインを用いて検知出力信号ＤＯＳを増幅するようにする。検知信号ＤＳが、光センサー１２５により検知される光の強度が強いことを示すものであるとき、サーボ制御モジュール１３０はゲイン制御信号ＧＣＳにより、ゲイン増幅器１６０を制御して小さなゲインを用いて検知出力信号ＤＯＳを増幅するようにする。こうすると、スキャナー１００のスキャン品質は光源装置１１０の光強度の変化による影響を受けない。
【００１６】
もちろん、本実施例における光源装置１１０はスキャナーに用いる以外に、その他の光源装置を必要とするところで用いることができ、例えばモニターやその他の装置である。
【００１７】
また、その他の実施例において、光センサーモジュール１５０により発生する検知出力信号ＤＯＳを用いてサーボ制御モジュール１３０を動作させるデータとすることができる。こうすると、スキャナーは光センサー１２５を含む必要がないので、さらにコストを低減できる。
【００１８】
図３はこの概念に基づくスキャナー３００を示す。スキャナー３００がスキャナー１００とは異なる主な点は、スキャナー３００の光源装置３１０はスキャナー１００の光源装置１１０のように光センサー１２５を備えてはおらず、このほか、スキャナー３００内のサーボ制御モジュール１３０は検知出力信号ＤＯＳにより第一制御信号ＣＳ１、第二制御信号ＣＳ２、ゲイン制御信号ＧＣＳを発生する点である。これ以外に、スキャナー３００とスキャナー１００の操作概念は大体同じであるので、ここではその説明は省略する。
【００１９】
上記に述べたことは本発明の最適な実施例というだけで、本発明の特許請求の範囲を制限するものではなく、この領域を熟知している技術者により手を加え、変更することができるが、すべて上記の特許請求の範囲内に含まれる。
【図面の簡単な説明】
【００２０】
【図１】本発明のスキャナーに係わる実施例を示す概略図である。
【図２】図１と図３の光源装置における時間の変化に対する光の強度を示す概略図である。
【図３】図３は本発明のスキャナーに係わる別の実施例を示す概略図である。
【符号の説明】
【００２１】
１００、３００  スキャナー
１１０、３１０  光源装置
１１５  冷陰極蛍光管
１２０  発光ダイオードモジュール
１２５  光センサー
１３０  サーボ制御モジュール
１３５  発光ダイオード駆動モジュール
１４０  冷陰極蛍光管駆動モジュール
１４１  パルス幅変調ユニット
１４２  インバーター
１５０  光センサーモジュール
１６０  ゲイン増幅器
１７０  信号処理モジュール
【図１】
2008017436.tif 000003
【図２】
2008017436.tif 000004
【図３】
2008017436.tif 000005
【手続補正書】
【提出日】平成19年10月1日(2007.10.1)
【手続補正１】
【補正対象書類名】特許請求の範囲
【補正対象項目名】全文
【補正方法】変更
【補正の内容】
【特許請求の範囲】
【請求項１】
冷陰極蛍光管（１１５）と、
補助的な発光ダイオードモジュール（１２０）と、
物体が前記冷陰極蛍光管及び前記発光ダイオードモジュールにより照射されて反射された光を検知して、検知出力信号（ＤＯＳ）を発生する光センサーモジュール（１５０）と、
前記光センサーモジュールに接続され、前記検知出力信号を増幅し増幅信号（ＡＳ）を発生するゲイン増幅器（１６０）と、
前記ゲイン増幅器に接続され、前記増幅信号を処理し前記物体の画像を得る信号処理モジュール（１７０）と、
前記冷陰極蛍光管と前記発光ダイオードモジュールとが発生する光を検知し検知信号（ＤＳ）を発生する光センサー（１２５）と、
前記光センサーに接続され、前記検知信号（ＤＳ）により第一制御信号（ＣＳ１）を発生するサーボ制御モジュール（１３０）と、
前記サーボ制御モジュール（１３０）と前記発光ダイオードモジュール（１２０）との間に接続され、前記第一制御信号により前記発光ダイオードモジュールを駆動する発光ダイオード駆動モジュール（１３５）と、
前記冷陰極蛍光管に接続され、前記冷陰極蛍光管を駆動する冷陰極蛍光管駆動モジュール（１４０）とを含み、
前記サーボ制御モジュール（１３０）は、前記検知信号（ＤＳ）が前記冷陰極蛍光管と前記発光ダイオードモジュールによる光がいっそう強くなったことを示すとき、前記第一制御信号を介して前記発光ダイオード駆動モジュールを制御して前記発光ダイオードモジュールの駆動パワーが下がるように調整し、且つ、前記検知信号（ＤＯ）が前記冷陰極蛍光管が完全に起動したことを示した後は、前記第一制御信号を介して前記発光ダイオード駆動モジュールを制御して前記発光ダイオードモジュールを完全に切ることを特徴とするスキャナー。
【請求項２】
請求項１に記載のスキャナーにおいて、
前記サーボ制御モジュール（１３０）は、さらに前記検知信号（ＤＳ）により第二制御信号（ＣＳ２）を発生し、
前記冷陰極蛍光管駆動モジュール（１４０）は、さらに前記サーボ制御モジュールに接続され、前記第二制御信号により前記冷陰極蛍光管を駆動することを特徴とするスキャナー。
【請求項３】
請求項２に記載のスキャナーにおいて、
前記冷陰極蛍光管駆動モジュール（１４０）は、
前記サーボ制御モジュールに接続され、前記第二制御信号によりパルス幅変調信号（ＰＷＭＳ）を発生するのに用いられるパルス幅変調ユニット（１４１）と、
前記パルス幅変調ユニットと前記冷陰極蛍光管に接続され、前記パルス幅変調信号により前記冷陰極蛍光管を駆動するのに用いられるインバーター（１４２）を含むことを特徴とするスキャナー。
【請求項４】
請求項１に記載のスキャナーにおいて、
前記サーボ制御モジュール（１３０）は、さらに前記検知信号（ＤＳ）によりゲイン制御信号（ＧＣＳ）を発生し、
前記ゲイン増幅器（１６０）は、さらに前記サーボ制御モジュールに接続され、前記ゲイン制御信号により前記検知出力信号（ＤＯＳ）を増幅することを特徴とするスキャナー。
【請求項５】
請求項４に記載のスキャナーにおいて、
前記サーボ制御モジュール（１３０）は、前記検知信号（ＤＳ）が前記冷陰極蛍光管と前記発光ダイオードモジュールによる光がいっそう強くなったことを示すとき、前記ゲイン制御信号を介して前記ゲイン増幅器が小さいゲイン数値により前記検知出力信号（ＤＯＳ）を増幅するように制御することを特徴とするスキャナー。
【請求項６】
冷陰極蛍光管（１１５）と、
補助的な発光ダイオードモジュール（１２０）と、
物体が前記冷陰極蛍光管及び前記発光ダイオードモジュールにより照射されて反射された光を検知して、検知出力信号（ＤＯＳ）を発生する光センサーモジュール（１５０）と、
前記光センサーモジュールに接続され、前記検知出力信号（ＤＯＳ）を増幅し増幅信号（ＡＳ）を発生するゲイン増幅器（１６０）と、
前記ゲイン増幅器に接続され、前記増幅信号を処理し前記物体の画像を得る信号処理モジュール（１７０）と、
前記光センサーモジュール（１５０）に接続され、前記検知出力信号（ＤＯＳ）により第一制御信号（ＣＳ１）を発生するサーボ制御モジュール（１３０）と、
前記サーボ制御モジュールと前記発光ダイオードモジュールとの間に接続され、前記第一制御信号により前記発光ダイオードモジュールを駆動する発光ダイオード駆動モジュール（１３５）と、
前記冷陰極蛍光管に接続され、前記冷陰極蛍光管を駆動する冷陰極蛍光管駆動モジュール（１４０）とを含み、
前記サーボ制御モジュール（１３０）は、前記検知出力信号（ＤＯＳ）が前記冷陰極蛍光管と前記発光ダイオードモジュールによる光がいっそう強くなったことを示すとき、前記第一制御信号を介して前記発光ダイオード駆動モジュールを制御して前記発光ダイオードモジュールの駆動パワーが下がるように調整し、且つ、前記検知出力信号（ＤＯＳ）が前記冷陰極蛍光管が完全に起動したことを示した後は、前記第一制御信号を介して前記発光ダイオード駆動モジュールを制御して前記発光ダイオードモジュールを完全に切ることを特徴とするスキャナー。
【請求項７】
請求項６に記載のスキャナーにおいて、
前記サーボ制御モジュール（１３０）は、さらに前記検知出力信号（ＤＯＳ）により第二制御信号（ＣＳ２）を発生し、
前記冷陰極蛍光管駆動モジュール（１４０）は、さらに前記サーボ制御モジュールに接続され、前記第二制御信号により前記冷陰極蛍光管を駆動することを特徴とするスキャナー。
【請求項８】
請求項７に記載のスキャナーにおいて、
前記冷陰極蛍光管駆動モジュール（１４０）は、
前記サーボ制御モジュールに接続され、前記第二制御信号によりパルス幅変調信号（ＰＷＭＳ）を発生するのに用いられるパルス幅変調ユニット（１４１）と、
前記パルス幅変調ユニットと前記冷陰極蛍光管に接続され、前記パルス幅変調信号により前記冷陰極蛍光管を駆動するのに用いられるインバーター（１４２）を含むことを特徴とするスキャナー。
【請求項９】
請求項６に記載のスキャナーにおいて、
前記サーボ制御モジュール（１３０）は、さらに前記検知出力信号（ＤＯＳ）によりゲイン制御信号（ＧＣＳ）を発生し、
前記ゲイン増幅器（１６０）は、さらに前記サーボ制御モジュールに接続され、前記ゲイン制御信号により前記検知出力信号（ＤＯＳ）を増幅することを特徴とするスキャナー。
【請求項１０】
請求項９に記載のスキャナーにおいて、
前記サーボ制御モジュール（１３０）は、前記検知信号（ＤＳ）が前記冷陰極蛍光管と前記発光ダイオードモジュールによる光がいっそう強くなったことを示すとき、前記ゲイン制御信号を介して前記ゲイン増幅器が小さいゲイン数値により前記検知出力信号（ＤＯＳ）を増幅するように制御することを特徴とするスキャナー。
【請求項１１】
冷陰極蛍光管（１１５）と、
補助的な発光ダイオードモジュール（１２０）と、
前記冷陰極蛍光管と前記発光ダイオードモジュールとが発生する光を検知し検知信号（ＤＳ）を発生する光センサー（１２５）と、
前記光センサーに接続され、前記検知信号（ＤＳ）により第一制御信号（ＣＳ１）を発生するサーボ制御モジュール（１３０）と、
前記サーボ制御モジュールと前記発光ダイオードモジュールとの間に接続され、前記第一制御信号により前記発光ダイオードモジュールを駆動する発光ダイオード駆動モジュール（１３５）と、
前記冷陰極蛍光管に接続され、前記冷陰極蛍光管を駆動する冷陰極蛍光管駆動モジュール（１４０）とを含み、
前記サーボ制御モジュール（１３０）は、前記検知信号（ＤＳ）が前記冷陰極蛍光管と前記発光ダイオードモジュールによる光がいっそう強くなったことを示すとき、前記第一制御信号を介して前記発光ダイオード駆動モジュールを制御して前記発光ダイオードモジュールの駆動パワーが下がるように調整し、且つ、前記検知信号（ＤＯ）が前記冷陰極蛍光管が完全に起動したことを示した後は、前記第一制御信号を介して前記発光ダイオード駆動モジュールを制御して前記発光ダイオードモジュールを完全に切ることを特徴とする光源装置。
【請求項１２】
請求項１１に記載の光源装置において、
前記サーボ制御モジュール（１３０）は、さらに前記検知信号により第二制御信号（ＣＳ２）を発生し、
前記冷陰極蛍光管駆動モジュール（１４０）は、さらに前記サーボ制御モジュールに接続され、前記第二制御信号により前記冷陰極蛍光管を駆動することを特徴とする光源装置。
【請求項１３】
請求項１２に記載の光源装置において、
前記冷陰極蛍光管駆動モジュール（１４０）は、
前記サーボ制御モジュールに接続され、前記第二制御信号によりパルス幅変調信号（ＰＷＭＳ）を発生するのに用いられるパルス幅変調ユニット（１４１）と、
前記パルス幅変調ユニットと前記冷陰極蛍光管に接続され、前記パルス幅変調信号により前記冷陰極蛍光管を駆動するのに用いられるインバーター（１４２）を含むことを特徴とする光源装置。
【手続補正２】
【補正対象書類名】明細書
【補正対象項目名】０００４
【補正方法】変更
【補正の内容】
【０００４】
本発明の特許請求の範囲はスキャナーに関わり、そのスキャナーは冷陰極蛍光管、発光ダイオードモジュール、光センサーモジュール、ゲイン増幅器、信号処理モジュール、光センサー、サーボ制御モジュール、発光ダイオード駆動モジュール、冷陰極蛍光管駆動モジュールを含む。前記光センサーモジュールは物体が前記冷陰極蛍光管と前記発光ダイオードモジュールの照射により反射、投射される光を受けたと検知し検知出力信号を発生する。前記ゲイン増幅器は前記検知出力信号を増幅し増幅信号を発生する。前記信号処理モジュールは前記増幅信号を処理し前記物体の画像を得る。前記光センサーは前記冷陰極蛍光管と前記発光ダイオードモジュールにより発生する光を検知し検知信号を発生する。前記サーボモジュールは前記検知信号により第一制御信号を発生する。前記発光ダイオード駆動モジュールは前記第一制御信号により前記発光ダイオードモジュールを駆動する。前記冷陰極蛍光管駆動モジュールは前記冷陰極蛍光管を駆動する。前記サーボ制御モジュールは、前記検知信号（ＤＳ）が前記冷陰極蛍光管と前記発光ダイオードモジュールによる光がいっそう強くなったことを示すとき、前記第一制御信号を介して前記発光ダイオード駆動モジュールを制御して前記発光ダイオードモジュールの駆動パワーが下がるように調整し、且つ、前記検知信号（ＤＯ）が前記冷陰極蛍光管が完全に起動したことを示した後は、前記第一制御信号を介して前記発光ダイオード駆動モジュールを制御して前記発光ダイオードモジュールを完全に切る。
【手続補正３】
【補正対象書類名】明細書
【補正対象項目名】０００５
【補正方法】変更
【補正の内容】
【０００５】
本発明の特許請求の範囲は別のスキャナーに関わり、そのスキャナーは冷陰極蛍光管、発光ダイオードモジュール、光センサーモジュール、ゲイン増幅器、信号処理モジュール、サーボ制御モジュール、発光ダイオード駆動モジュール、冷陰極蛍光管駆動モジュールを含む。前記光センサーモジュールは物体が前記冷陰極蛍光管と前記発光ダイオードモジュールの照射により反射、投射される光を受けたと検知し検知出力信号を発生する。前記ゲイン増幅器は前記検知出力信号を増幅し増幅信号を発生する。前記信号処理モジュールは前記増幅信号を処理し前記物体の画像を得る。前記サーボモジュールは前記検知信号により第一制御信号を発生する。前記発光ダイオード駆動モジュールは前記第一制御信号により前記発光ダイオードモジュールを駆動する。前記冷陰極蛍光管駆動モジュールは前記冷陰極蛍光管を駆動する。前記サーボ制御モジュールは、前記検知信号（ＤＳ）が前記冷陰極蛍光管と前記発光ダイオードモジュールによる光がいっそう強くなったことを示すとき、前記第一制御信号を介して前記発光ダイオード駆動モジュールを制御して前記発光ダイオードモジュールの駆動パワーが下がるように調整し、且つ、前記検知信号（ＤＯ）が前記冷陰極蛍光管が完全に起動したことを示した後は、前記第一制御信号を介して前記発光ダイオード駆動モジュールを制御して前記発光ダイオードモジュールを完全に切る。
【手続補正４】
【補正対象書類名】明細書
【補正対象項目名】０００６
【補正方法】変更
【補正の内容】
【０００６】
本発明の特許請求の範囲はさらに光源装置に関わり、その光源装置は冷陰極蛍光管、発光ダイオードモジュール、光センサー、サーボ制御モジュール、発光ダイオード駆動モジュール、冷陰極蛍光管駆動モジュールを含む。前記光センサーは前記冷陰極蛍光管と前記発光ダイオードモジュールにより発生する光を検知し検知信号を発生する。前記サーボモジュールは前記検知信号により第一制御信号を発生する。前記発光ダイオード駆動モジュールは前記第一制御信号により前記発光ダイオードモジュールを駆動する。前記冷陰極蛍光管駆動モジュールは前記冷陰極蛍光管を駆動する。前記サーボ制御モジュールは、前記検知信号（ＤＳ）が前記冷陰極蛍光管と前記発光ダイオードモジュールによる光がいっそう強くなったことを示すとき、前記第一制御信号を介して前記発光ダイオード駆動モジュールを制御して前記発光ダイオードモジュールの駆動パワーが下がるように調整し、且つ、前記検知信号（ＤＯ）が前記冷陰極蛍光管が完全に起動したことを示した後は、前記第一制御信号を介して前記発光ダイオード駆動モジュールを制御して前記発光ダイオードモジュールを完全に切る。
【手続補正５】
【補正対象書類名】図面
【補正対象項目名】図１
【補正方法】変更
【補正の内容】
【図１】
2008017436.tif 000006
【手続補正６】
【補正対象書類名】図面
【補正対象項目名】図３
【補正方法】変更
【補正の内容】
【図３】
2008017436.tif 000007